(57)【要約】【課題】持ち手を掴む手が熱くなりにくく，安全に持ち運びできる（たとえば電子レンジから取り出すことができる）紙容器を提供する。【解決手段】紙容器１は，方形の底板11，底板11の４辺のそれぞれに連設され，底板11から立ち上がる前後左右の側板12，13，14，15，および左側板14の上縁に連設された持ち手形成板20を備えている。持ち手形成板20には折り線が形成されており，外側に折曲げられた持ち手形成板20を上記折り線に沿って折曲げることによって，左側板14の側方に突出する三角屋根面部21および三角支持面部22，23と，三角屋根面部21の下面から下方に延びる摘み面部24，25とが，持ち手形成板20に形付けられる。【選択図】図３
2019177888.tif 000002
【特許請求の範囲】
【請求項１】
多角形の底板，および底板の各辺のそれぞれに連設され，底板から立ち上がる各側板を備える，一枚の板紙から形成される紙容器であって，
上記各側板の少なくともいずれか一の側板の上縁に，外側に折られる持ち手形成板が連設されており，
上記持ち手形成板に折り線が形成されており，
上記折り線に沿って上記持ち手形成板が折曲げられることによって，上記持ち手形成板に，上記側板の側方に突出する突出面部と，上記突出面部に連設され縦向きに延びる摘み面部とが形付けられることを特徴とする，
紙容器。
【請求項２】
上記突出面部が，上記側板の上縁に底辺が連設された大三角形領域と，上記大三角形領域の２つの斜辺のそれぞれに連設された２つの小三角形領域とを含み，
上記小三角形領域の先端斜辺のそれぞれに上記摘み面部が連設されている，
請求項１に記載の紙容器。
【請求項３】
大三角形領域に対して小三角形領域が山折りされ，
小三角形領域に対して摘み面部が谷折りされている，
請求項２に記載の紙容器。
【請求項４】
大三角形領域に対して小三角形領域が山折りされ，
小三角形領域およびこれに連設された摘み面部が内方に湾曲している，
請求項２に記載の紙容器。
【請求項５】
大三角形領域に対して小三角形領域が谷折りされ，
小三角形領域に対して摘み面部が山折りされている，
請求項２に記載の紙容器。
【請求項６】
大三角形領域に対して小三角形領域が谷折りされ，
小三角形領域およびこれに連設された摘み面部が内方に湾曲している，
請求項２に記載の紙容器。
【請求項７】
上記摘み面部同士が折り線を介して連設されており，かつ上記折り線に沿って二つ折りされている，
請求項２から６のいずれか一項に記載の紙容器。
【請求項８】
上記突出面部が，上記側板の上縁に下底辺が連設された台形領域と，上記台形領域の２つの斜辺のそれぞれに連設された２つの三角形領域とを含み，
上記三角形領域の先端斜辺のそれぞれに上記摘み面部が連設されている，
請求項１に記載の紙容器。
【請求項９】
台形領域に対して三角形領域が山折りされ，
三角形領域に対して摘み面部が谷折りされている，
請求項８に記載の紙容器。
【請求項１０】
台形領域に対して三角形領域が山折りされ，
三角形領域およびこれに連設された摘み面部が内方に湾曲している，
請求項８に記載の紙容器。
【請求項１１】
台形領域に対して三角形領域が谷折りされ，
三角形領域に対して摘み面部が山折りされている，
請求項８に記載の紙容器。
【請求項１２】
台形領域に対して三角形領域が谷折りされ，
三角形領域およびこれに連設された摘み面部が内方に湾曲している，
請求項８に記載の紙容器。
【請求項１３】
上記台形領域の上底辺に短辺が連設され，上記２つの摘み面部のそれぞれに両長辺が連設された壁面部をさらに備えている，
請求項８に記載の紙容器。
【請求項１４】
多角形の底板，底板の各辺のそれぞれに連設され底板から立ち上がる各側板，上記各側板の両側縁に連設された折込み片から形成され，外側に折り込まれて隣接する側板の外面に貼り合わされるウェッブコーナー部，および一の側板の上縁に連設された蓋板を備える，一枚の板紙から形成される紙容器であって，
上記蓋板が連設された側板を除く各側板の少なくとも一の側板の上縁に持ち手形成板が連設されており，
上記持ち手形成板は内側および外側にそれぞれ折り曲げられ，
上記持ち手形成板が内側に折り曲げられたときには上記持ち手形成板の上から上記蓋板が被せられ，
上記持ち手形成板が外側に折り曲げられたときには，上記持ち手形成板に形成された折り線に沿って上記持ち手形成板が折り曲げられることによって，上記持ち手形成板に，上記側板の側方に突出する突出面部と，上記突出面部に連設された縦向きに延びる摘み面部とが形成されることを特徴とする，
紙容器。
【請求項１５】
縦向きに延びる摘み面部の角部に折り線によって差込み面部が区画されており，
折り線に沿って折られた上記差込み面部が，上記持ち手形成板が連設された側板と上記ウェッブコーナー部との間に挟まれている，
請求項１４に記載の紙容器。
【発明の詳細な説明】
【技術分野】
【０００１】
この発明は紙容器，特に側方に持ち手（取っ手）を形成することができる紙容器に関する。
【背景技術】
【０００２】
四隅を外側に折り込んで側板の外面に貼り合わせたウェッブコーナー型紙容器が提案されている（特許文献１〜３）。特に特許文献２，３は持ち手が形成されるウェッブコーナー型紙容器を開示する。
【先行技術文献】
【特許文献】
【０００３】
【特許文献１】特許第６１８７８０８号公報
【特許文献２】特許第６１９１８６３号公報
【特許文献３】特許第６１９１８６４号公報
【０００４】
紙容器の持ち手は紙容器を手（指）で摘まんで（掴んで）持ち運ぶことができるようにすることを主目的に形成されるが，用途によっては，紙容器の熱が持ち手を摘まむ手に伝わらないようにする，または伝わりにくくすることが求められることもある。典型的には，紙容器内に食品が入れられ，食品を紙容器ごと電子レンジで加熱する場合である。より安全かつ安定的に形成される持ち手を備える紙容器が求められている。
【発明の開示】
【０００５】
この発明は，一枚の板紙から形成され，持ちやすい持ち手を形づけることができる紙容器を提供することを目的とする。
【０００６】
この発明はまた，持ち手を摘まむ手が熱くなりにくく，安全に持ち運びできる（たとえば電子レンジから取り出すことができる）紙容器を提供することを目的とする。
【０００７】
この発明はさらに，片手持ちが可能な紙容器を提供することを目的とする。
【０００８】
第１の発明による紙容器は，多角形の底板，および底板の各辺のそれぞれに連設され，底板から立ち上がる各側板を備える，一枚の板紙から形成されるものであって，上記各側板の少なくともいずれか一の側板の上縁に，外側に折られる持ち手形成板が連設されており，上記持ち手形成板に折り線が形成されており，上記折り線に沿って上記持ち手形成板が折曲げられることによって，上記持ち手形成板に，上記側板の側方に突出する突出面部と上記突出面部に連設され縦向きに延びる摘み面部とが形付けられることを特徴とする。
【０００９】
第１の発明による紙容器は，一枚の板紙から，底板および底板から立ち上がる側板によって内容物を収納する収納空間を形成するとともに，側板上縁に連設された板紙部分（持ち手形成板）を折り線に沿って折ることによって，紙容器の外側側方に持ち手を形付けるものである。底板は多角形に形成され，底板が備える辺の数と同じ数の側板が，底板から立ち上がる。持ち手形成板を折ることによって形成される持ち手は突出面部と摘み面部とを含む。突出面部は側板（持ち手形成板が連設された側板）の側方に突出するように形付けられ，摘み面部は側方に突出する突出面部に連設して縦向きに延びるように形成される。紙容器の側方において縦向きに延びる摘み面部は，手（典型的には親指と人差し指）で摘みやすい（掴みやすい）。たとえば紙容器内に食品が入れられ，食品が紙容器ごと電子レンジで加熱されると，紙容器からの蒸気（湯気）は紙容器の上開口から外に出るから，紙容器の側方に形成される持ち手（突出面部および摘み面部）を持つと，紙容器からの蒸気による熱が手に伝わりにくい。
【００１０】
好ましい一実施態様では，上記突出面部が，上記側板の上縁に底辺が連設された大三角形領域と，上記大三角形領域の２つの斜辺のそれぞれに連設された２つの小三角形領域とを含み，上記小三角形領域の先端斜辺のそれぞれに上記摘み面部が連設されている。大三角形領域およびこれに隣接する２つの小三角形領域が紙容器の側方に突出して形成され，小三角形領域の先端斜辺につながる摘み面部が縦向きに延びるように形成される。
【００１１】
一実施態様では，大三角形領域に対して小三角形領域が山折りされ，小三角形領域に対して摘み面部が谷折りされる。紙容器の側板上縁から大三角形領域が側方に延び，大三角形領域の底面に山折りされた２つの小三角形領域が沿い，大三角形領域の底面から下向きに縦方向の摘み面部が延びる，そのような持ち手が形成される。上述したように，縦向きに延びる摘み面部が手（指）で摘ままれ，その上方に大三角形領域が位置するので，摘み面部を摘まむ指が大三角形領域によってカバーされることになり，紙容器からの熱が手に伝わりにくくなる。
【００１２】
小三角形領域と摘み面部の間は谷折りしなくてもよい（折り線を形成しなくてもよい）。他の実施態様では，大三角形領域に対して小三角形領域が山折りされ，小三角形領域およびこれに連設された摘み面部が内方に湾曲している。紙容器の側板上縁から大三角形領域が側方に延び，大三角形領域の下方において，大三角形領域の２つの斜辺のそれぞれに連設された２つの小三角形領域およびこれらに連設された摘み面部が，それぞれ，内方に湾曲して互いに近づき，縦方向の摘み面部が下向きに延びる，そのような持ち手が形成される。この態様においても，摘み面部の上方に大三角形領域が位置するので，摘み面部を摘まむ指が大三角形領域によってカバーされ，紙容器からの熱が手に伝わりにくい。
【００１３】
他の実施態様では，大三角形領域に対して小三角形領域が谷折りされ，小三角形領域に対して摘み面部が山折りされる。紙容器の側板上縁に連設された大三角形領域は比較的大きく折り曲げられ，２つの小三角形領域が側方に斜めに突出し，縦向きの摘み面部がさらに側方に延びる，そのような持ち手が形成される。摘み面部が側板から比較的大きく離されるので，これによっても紙容器からの熱を手に伝わりにくくすることができる。
【００１４】
さらに他の実施態様では，大三角形領域に対して小三角形領域が谷折りされ，小三角形領域およびこれに連設された摘み面部が内方に湾曲している。小三角形領域に対して摘み面部を山折りしない態様である。大三角形領域の側方において，大三角形領域の２つの斜辺のそれぞれに連設された２つの小三角形領域およびこれらに連設された摘み面部が，それぞれ，内方に湾曲して互いに近づき，縦方向の摘み面部がさらに側方に延びる，そのような持ち手が形成される。
【００１５】
小三角形領域の先端斜辺のそれぞれに連設されている摘み面部は折り線を介して連設されていてもよい。折り線に沿って二つ折りすることで２つの摘み面部が重ねあわされる。
【００１６】
好ましい他の実施態様では，上記突出面部が，上記側板の上縁に下底辺が連設された台形領域と，上記台形領域の２つの斜辺のそれぞれに連設された２つの三角形領域とを含み，上記三角形領域の先端斜辺のそれぞれに上記摘み面部が連設されている。台形領域およびこれに隣接する２つの三角形領域が紙容器の側方に突出して形成され，三角形領域の先端斜辺につながる摘み面部が縦向きに延びるように形成される。
【００１７】
一実施態様では，台形領域に対して三角形領域が山折りされ，三角形領域に対して摘み面部が谷折りされている。紙容器の側板上縁から台形領域が側方に延び，台形領域の底面に山折りされた２つの三角形領域が沿い，台形領域の底面から下向きに縦向きの摘み面部が延びる，そのような持ち手が形成される。摘み面部を摘まむ指が台形領域によってカバーされることになり，紙容器からの熱が手に伝わりにくくなる。
【００１８】
他の実施態様では，台形領域に対して三角形領域が山折りされ，三角形領域およびこれに連設された摘み面部が内方に湾曲している。三角形領域と摘み面部との間を谷折りしない態様である。
【００１９】
他の実施態様では，台形領域に対して三角形領域が谷折りされ，三角形領域に対して摘み面部が山折りされている。紙容器の側板上縁に連設された台形領域は比較的大きく折り曲げられ，２つの三角形領域が側方に斜めに突出し，縦向きの摘み面部がさらに側方に延びる，そのような持ち手が形成される。摘み面部が側板から比較的大きく離されるので，紙容器からの熱を手に伝わりにくくすることができる。三角形領域と摘み面部との間は山折りしなくてもよく，この場合には三角形領域およびこれに連設された摘み面部は内方に湾曲するように形付けられる。
【００２０】
上記台形領域の上底辺（上辺）に短辺が連設され，上記２つの摘み面部のそれぞれに両長辺が連設された壁面部をさらに備えてもよい。２つの摘み面部が重なり合わせられなくても，２つの摘み面部をしっかりと摘まむ（掴む）ことができる。
【００２１】
紙容器に水分または油分を含む内容物が入れられる場合には，紙容器からの内容物の漏れを防止するのが好ましい。また，紙容器の上面開口を閉じるための蓋を設けると，内容物を紙容器ごとたとえば電子レンジで加熱するのに適するものとなる。この発明は，内容物の漏れを防ぐためのウェッブコーナー部および上面開口を閉じる蓋部を備える紙容器も提供する。第２の発明による紙容器は，多角形の底板，底板の各辺のそれぞれに連設され底板から立ち上がる各側板，上記各側板の両側縁に連設された折込み片から形成され，外側に折り込まれて隣接する側板の外面に貼り合わされるウェッブコーナー部，および一の側板の上縁に連設された蓋板を備える，一枚の板紙から形成されるものであって，上記蓋板が連設された側板を除く各側板の少なくとも一の側板の上縁に持ち手形成板が連設されており，上記持ち手形成板は内側および外側にそれぞれ折り曲げられ，上記持ち手形成板が内側に折り曲げられたときには上記持ち手形成板の上から上記蓋板が被せられ，上記持ち手形成板が外側に折り曲げられたときには，上記持ち手形成板に形成された折り線に沿って上記持ち手形成板が折り曲げられることによって，上記持ち手形成板に，上記側板の側方に突出する突出面部と，上記突出面部に連設された縦向きに延びる摘み面部とが形成されることを特徴とする。
【００２２】
第１の発明と同様に，折り線に沿って折られることで持ち手形成板から形成される持ち手（突出面部および摘み面部）が紙容器の側方に形成される。紙容器の側方において縦向きに延びる摘み面部は手（典型的には親指と人差し指）で摘みやすく（掴みやすく），また紙容器からの蒸気による熱が手に伝わりにくい。
【００２３】
好ましくは，縦向きに延びる摘み面部の角部に折り線によって差込み面部が区画されており，折り線に沿って折られた上記差込み面部が，上記持ち手形成板が連設された側板と上記ウェッブコーナー部との間に挟まれている。持ち手（突出面部および摘み面部）のぐらつき等を防ぐことができる。
【図面の簡単な説明】
【００２４】
【図１】第１実施例の紙容器の展開図である。
【図２】第１実施例の紙容器の上面開口状態を示す斜視図である。
【図３】持ち手が形成された第１実施例の紙容器の斜視図である。
【図４】第２実施例の紙容器の展開図である。
【図５】持ち手が形成された第２実施例の紙容器の斜視図である。
【図６】第２実施例の変形例の紙容器の展開図である。
【図７】第３実施例の紙容器の展開図である。
【図８】持ち手が形成された第３実施例の紙容器の斜視図である。
【図９】第４実施例の紙容器の展開図である。
【図１０】持ち手が形成された第４実施例の紙容器の斜視図である。
【図１１】第４実施例の変形例の紙容器の斜視図である。
【図１２】持ち手が形成された第５実施例の紙容器の左側面図である。
【図１３】持ち手が形成された第５実施例の紙容器の正面図である。
【図１４】第６実施例の紙容器の展開図である。
【図１５】持ち手が形成された第６実施例の紙容器の斜視図である。
【図１６】持ち手が形成された第７実施例の紙容器の斜視図である。
【発明を実施するための最良の形態】
【００２５】
以下，この発明による紙容器の実施例を詳細に説明する。
【実施例１】
【００２６】
図１から図３は第１実施例の紙容器を示している。後述する変形例および他の実施例を含めて，この実施例による紙容器は１枚の厚紙により作られる。厚紙は板紙（ボール紙），ミルクカートン用紙，画用紙，ケント紙，段ボール等を含み，いわゆる合成紙（積層紙），複合紙でもよく，各種熱可塑性樹脂を積層（たとえばラミネート）したものでもよい。使用する厚紙の坪量は，収納する内容物や積層する熱可塑性樹脂の積層厚にしたがって適宜設計することができ，たとえば150〜600ｇ／ｍ2 のものを用いることができる。
【００２７】
図１は紙容器１を形成する厚紙（ブランク）の展開図であり，紙容器１の内側となる面を見たものである。一点鎖線は紙容器１を作るときに谷折りにされる折り線を，二点鎖線は紙容器１を作るときに山折りされる折り線を，それぞれ示している。好ましくは，折り曲げを容易にするために，この一点，二点鎖線に沿って折り線加工または折罫加工が施される。図２は，図１に示すように型取り（型抜き）された型紙（ブランク）を折り曲げかつ必要箇所を接着（糊付け）することにより作成した紙容器１を，その上面を開口させた状態で示している。図３は側方に持ち手が形成された状態の紙容器１の斜視図を示している。
【００２８】
図１を参照して，紙容器１のブランクは方形の底板11を備えている。この底板11の前，後（正面，背面）がわにあたる境界（一点鎖線で示される折り線）から前側板12および後側板13がそれぞれ連続して互いに反対方向に延びている。同様に底板11の左，右がわにあたる境界から左側板14および右側板15がそれぞれ連続して互いに反対方向に延びている。これらの前側板12，後側板13，左側板14および右側板15はいずれも底板11から遠ざかるにしたがってその幅が広がっており，紙容器１に形成されたときに上方が大きく口を開くようになっている。
【００２９】
前側板12の左右両側に概略三角形の折込み片12ａが連続して形成されている。同様に，後側板13，左側板14，右側板15の左右両側にも概略三角形の折込み片13ａ，14ａ，15ａが連続してそれぞれ形成されている。さらに隣接する折込み片同士は底板11の隅から外方に向けて延びる折り線の箇所で連結されている。隣り合う２つの折込み片によって，合計４つのウェッブコーナー部が紙容器１に形成される。
【００３０】
後側板13の先端縁（組み立てられたときの上縁）に蓋板16が連設され，蓋板16の先端縁にさらにフラップ16ａが連設されている。蓋板16は紙容器１の上開口にほぼ合致する方形の形状および大きさを持つ。右側板15の先端縁にもフラップ15ｂが連設されている。
【００３１】
左側板14の先端縁（組み立てられたときの上縁）に折り線Ｌ１を介して持ち手形成板20が連設されている。持ち手形成板20の全体形状は蓋板16の大きさにほぼ等しい方形である。蓋板16と異なり，持ち手形成板20には，左側板14との境界の折り線Ｌ１の左右端から折り線Ｌ１を底辺とした二等辺三角形を形成するように持ち手形成板20に向けて斜めに延びる２本の折り線Ｌ２と，上記２本の折り線Ｌ２の交点を通り上記折り線Ｌ１と平行にのびる折り線Ｌ３と，上記２本の折り線Ｌ２の交点を端点とし，持ち手形成板20の先端縁に向けて上記折り線Ｌ１，Ｌ３と垂直に延びる折り線Ｌ４とが形成されている。２本の折り線Ｌ２の交点は持ち手形成板20の中心に位置してもよいし，中心よりも左側板14の近くに位置しても，または中心よりも持ち手形成板20の先端がわに位置してもよい。第１実施例において，折り線Ｌ１と２本の折り線Ｌ２とによって囲まれる，左側板14に底辺がつながる大きい三角形の範囲21を「三角屋根面部21」と呼ぶ。三角屋根面部21の２つの斜辺（折り線Ｌ２）につながり，上記三角屋根面部21とともに方形領域を形成する小さい三角形の範囲22，23を，「三角支持面部22，23」と呼ぶ。一列に並ぶ三角支持面部22，23の斜辺のそれぞれに連設され，折り線Ｌ４によって二分される持ち手形成板20の先端部分の２つの方形範囲24，25を「摘み面部24，25」と呼ぶ。
【００３２】
上記のように型取り（型抜き）された厚紙（ブランク）は，その折り線（一点鎖線および二点鎖線）に沿って折り曲げられ，かつ所望箇所が接着されて図２ないし図３に示す形の紙容器１が作成される。
【００３３】
すなわち，底板11に対して前後左右の側板12，13，14，15を起立させ，折込み片12ａ〜15ａを外側に引き出して折込むことで４つのウェッブコーナー部を形成し，４つのウェッブコーナー部の２つずつを左側板14および右側板15のそれぞれの外面に接着して貼り合わせる。左右側板14，15に重ねられるウェッブコーナー部は，左右側板14，15の下縁の左右端から互いに近づく向きに斜めに延び，途中で方向を変えて縦向きにのびる縁部を形成する。図２に示す上方が開口した概略直方体状の紙容器１が形成される。ウェッブコーナー部が形成されているので，内容物が水分や油分を含むものであっても，紙容器１は漏れをほとんど生じさせることがない。
【００３４】
上方開口から加工食品，たとえば電子レンジを用いて加熱調理される加工食品が紙容器１内に入れられ，その後に上方開口も閉じられる。すなわち，右側板15の先端縁（上縁）につながるフラップ15ｂ，および左側板14の先端縁（上縁）につながる持ち手形成板20をそれぞれ内側にほぼ直角に折り曲げる。最後に，フラップ16ａを内側にほぼ直角に折り曲げた状態で蓋板16を内側にほぼ直角に折り曲げる。フラップ16ａは前側板12の内面側に差し込まれる。紙容器１が完成する。紙容器１内には袋詰めされた加工食品を入れてもよいし，冷凍された加工食品をそのまま（別途袋詰めすることなく）紙容器１内に入れてもよい。
【００３５】
紙容器１は必要に応じてシュリンクフィルムによって覆われ，店頭販売される。
【００３６】
電子レンジで加熱調理する場合，蓋板16があけられ，持ち手形成板20を折り線Ｌ１に沿って外側に折り曲げて紙容器１の外に出し，再び蓋板16が閉じられる。袋詰めされた加工食品が紙容器１内に入っている場合には加工食品を袋から紙容器１内に移した後に蓋板16は閉じられる。
【００３７】
紙容器１の側方において外に出された持ち手形成板20は，次のようにして折り線Ｌ１〜Ｌ４に沿って折り曲げられる。すなわち，折り線Ｌ１に沿って持ち手形成板20（三角屋根面部21）を外向きに折り曲げる（山折り）。折り線Ｌ２に沿って２つの三角支持面部22，23をそれぞれ内側に折り畳んで（山折り）三角屋根面部21の下面に沿わせるとともに，折り線Ｌ４に沿って摘み面部24，25を二つ折りにして（山折り）重ね合わせる。三角支持面部22，23および摘み面部24，25を上述のように折るときに，摘み面部24，25は，折り線Ｌ３に沿って三角支持面部22，23に対してほぼ直角に折られる（谷折り）。図３に示すように，三角屋根面部21および三角支持面部22，23が左側板14の側方に突出し（図３において三角支持面部22，23は三角屋根面部21に隠れて見えない），側方に突出する三角屋根面部21の下側に摘み面部24，25が縦向きに延びることになる。
【００３８】
紙容器１の側方に摘み面部24，25を含む持ち手（取っ手）が形成されるので，この持ち手を紙容器１を持ち運ぶときに摘まむ（掴む）ことができる。摘み面部24，25は，紙容器１内の蒸気が漏れがちな蓋板16の前方縁部および両側縁部から離れている。さらに，摘み面部24，25の上方には三角屋根面部21が存在するので，摘み面部24，25を摘まむ手が三角屋根面部21によってカバーされる。紙容器１からの熱を手に伝わりにくくすることができる。
【００３９】
持ち手形成板20は，紙容器１の左側面のみならず，右側面にも形成してもよい。この場合には，右側板15の上縁に，フラップ15ｂに代えて，上述した持ち手形成板20を連設すればよい。熱が伝わりにくい位置に形成される持ち手が左右の両側方に形成される両持ちの紙容器が実現される。このことは，後述する他の実施例でも同様である。
【００４０】
三角支持面部22，23と摘み面部24，25の境界の折り線Ｌ３は必ずしも必要とされない。折り線Ｌ３を形成しない場合，三角支持面部22および摘み面部24と，三角支持面部23および摘み面部25は連続する面部となり，これらのそれぞれには，三角屋根面部21の下方において互いに近づく向き（内方）に滑らかに湾曲する形状が形付けられる。この場合にも，三角屋根面部21および三角支持面部22，23は左側板14の側方に位置し，側方に突出する三角屋根面部21の下側に摘み面部24，25が縦向きに延びることになる。三角支持面部22，23と摘み面部24，25の境界の折り線Ｌ３が必ずしも必要とされないことは，後述する他の実施例でも同様である。
【実施例２】
【００４１】
図４および図５は第２実施例の紙容器２を示すもので，図４は第２実施例の紙容器２の展開図（ブランク）を，図５は持ち手が形成された紙容器２の左側面図を，それぞれ示している。
【００４２】
図１〜図３に示す第１実施例の紙容器１とは，摘み面部24，25のそれぞれの角部に，谷折りされる折り線Ｌ５が形成されている点が異なる。図４を参照して，摘み面部24の折り線Ｌ５は，折り線Ｌ３の一端から摘み面部24の先端縁に向けて斜めに形成される。摘み面部25の折り線Ｌ５も，折り線Ｌ３の他端から摘み面部25の先端縁に向けて斜めに形成される。折り線Ｌ５によって摘み面部24，25のそれぞれの隅に区画される三角形の範囲を，以下，差込み面部26，27と呼ぶ。
【００４３】
図５を参照して，一方の差込み面部26は折り線Ｌ５において谷折りされて左側板14とウェッブコーナー部（折込み片13ａ，14ａ）の間の隙間に差し込まれ，他方の差込み面部27も折り線Ｌ５において谷折りされて左側板14とウェッブコーナー部（折込み片12ａ，14ａ）の間の隙間に差し込まれる。三角屋根面部21，三角支持面部22，23，および摘み面部24，25から形成される持ち手が，紙容器２の左側板14の外面に比較的しっかりと固定されるので，持ち手のぐらつき等を抑制することができる。
【００４４】
図６は第２実施例の変形例の紙容器２Ａの展開図を示している。図６に示すように，持ち手形成板20Ａにおいて差込み面部26Ａ，27Ａを幅広に形成することもできる。左側板14とウェッブコーナー部との間の隙間に差し込まれる面積が広くなるので，持ち手をより安定的に形成することができる。
【実施例３】
【００４５】
図７および図８は第３実施例の紙容器３を示すもので，図７は第３実施例の紙容器３の展開図（ブランク）を，図８は持ち手が形成された紙容器３の斜視図を，それぞれ示している。
【００４６】
図１〜図３に示す第１実施例では，折り線Ｌ１を山折りし，かつ持ち手形成板20に形成された折り線Ｌ２を山折りし，折り線Ｌ３を谷折りし，折り線Ｌ４を山折りすることによって，図３に示す形状の持ち手がつくられている。図７および図８に示す第３実施例の紙容器３では，第１実施例の紙容器１においても折られる折り線Ｌ２〜Ｌ４の折り方向を逆にする（山折りと谷折りにし，谷折りを山折りにする）ことで，持ち手がつくられる。すなわち，折り線Ｌ２が谷折りされ，折り線Ｌ３が山折りされ，折り線Ｌ４が谷折りされる。
【００４７】
図８を参照して，上述のように折り線Ｌ２〜Ｌ４に沿って持ち手形成板20を折ると，左側板14につながる大きい三角範囲21は左側板14の上縁（折り線Ｌ１）において大きく折られ（二つ折に近い角度で折られる），大きい三角範囲21の斜辺（折り線Ｌ２）に沿って折られる，大きい三角範囲21につながる２つの小さい三角範囲22，23は，側方に向けて斜めかつ互いに近づく向きに折られて，それらの先端縁同士が近づけられ，そこから摘み面部24，25が互いに概略重ねられた状態でさらに側方に延びるように形付けられる。第３実施例では大きな三角範囲21，および小さい三角範囲22，23を左側板14の側方に突出させ，その先端（小さい三角範囲22，23の先端辺）に，さらに側方に突出する摘み面部24，25を縦向きに延ばして形成することができる。摘み面部24，25が紙容器３の左側板14から大きく離れるので，第３実施例の紙容器３も，紙容器３からの熱を手に伝わりにくくすることができる。
【実施例４】
【００４８】
図９および図１０は第４実施例を示すもので，図９は第４実施例の紙容器４の展開図（ブランク）を，図１０は持ち手が形成された紙容器４の斜視図を，それぞれ示している。
【００４９】
方形の持ち手形成板30に形成された折り線の位置，数等が，第１〜第３実施例と異なっており，その結果，持ち手の形状も第１〜第３実施例と異なるものになる。
【００５０】
図９を参照して，左側板14との境界の折り線Ｌ１と平行にのびる折り線Ｌ３が，持ち手形成板30に形成されており，２本の折り線Ｌ２は折り線Ｌ１の左右端から持ち手形成板30の方向に折り線Ｌ１を２等分する垂線上に向けて延びている。２本の折り線Ｌ２は折り線Ｌ３とぶつかる箇所で終端する。すなわち，左側板14には，折り線Ｌ１，２本の折り線Ｌ２および折り線Ｌ３によって囲まれる台形面部31の下底辺がつながっている。折り線Ｌ３と２本の折り線Ｌ２との交点のそれぞれから持ち手形成板30の先端縁に向けて，２本の折り線Ｌ４ａ，Ｌ４ｂが間隔をあけて形成されている。折り線Ｌ４ａ，Ｌ４ｂによって，持ち手形成板30の先端部分には，両側の２つの方形範囲34，35と，これらの間に挟まれる長方形の面部36が規定される。第４実施例において，折り線Ｌ１，Ｌ２，Ｌ３によって囲まれる台形面部31を「台形屋根面部31」と呼ぶ。台形屋根面部31の２つの斜面につながる小さい三角形範囲32，33を「三角支持面部32，33」と呼ぶ。折り線Ｌ４ａ，Ｌ４ｂによって規定される方形範囲34，35を「摘み面部34，35」と呼び，摘み面部34，35の間の長方形範囲を「壁面部36」と呼ぶ。
【００５１】
折り線Ｌ１に沿って持ち手形成板30（台形屋根面部31）を外側に折り（山折り），折り線Ｌ２に沿って２つの三角支持面部32，33をそれぞれ内側に折り畳んで（山折り）台形屋根面部31の下面に沿わせ，さらに折り線Ｌ４ａ，Ｌ４ｂに沿って摘み面部34，35を壁面部36に対して内側に直角に折って（山折り）互いにほぼ平行な姿勢にする。三角支持面部32，33および摘み面部34，35を上述のように折るときに，摘み面部34，35は折り線Ｌ３に沿って三角支持面部32，33に対してほぼ直角に折られる（谷折り）。図１０に示すように，台形屋根面部31および三角支持面部32，33は左側板14の側方に突出し（図１０において三角支持面部32，33は台形屋根面部31に隠れて見えない），台形屋根面部31の下側に，摘み面部34，35および壁面部36が縦向きに延びることになる。
【００５２】
第４実施例においても，紙容器４の側方に摘み面部34，35を含む持ち手が形成されるので，この持ち手を紙容器４を持ち運ぶときに掴む（摘まむ）ことができる。摘み面部34，35は，紙容器４内の蒸気が漏れがちな蓋板16の前方縁部および両側縁部から離れている。さらに，摘み面部34，35の上方には台形屋根面部31が存在するので，摘み面部34，35を摘まむ手が台形屋根面部31によってカバーされる。紙容器４から漏れる蒸気の熱を手に伝わりにくくすることができる。
【００５３】
上述した第２実施例（図４および図５参照）と同様に，摘み面部34，35のそれぞれの隅に折り線によって区画される差込み面部を形成してもよい。図１１は掴み面部34，35の隅に差込み面部37，38を備えるブランクから構成される変形例の紙容器４Ａを示している（一方の差込み面部38のみが見えている）。差込み面部37，38を左側板14とウェッブコーナー部の間の隙間に差し込むことで，持ち手のぐらつき等を抑制することができる。差込み面部37，38は，図６と同様に，幅広に形成してもよい。
【００５４】
第４実施例においても，三角支持面部32，33と摘み面部34，35の境界の折り線Ｌ３は必ずしも必要ではない。折り線Ｌ３を形成しない場合，三角支持面部32および摘み面部34と，三角支持面部33および摘み面部35は連続する面部となり，これらのそれぞれには，台形屋根面部31の下方において，互いに近づく向き（内方）に滑らかに湾曲する形状が形付けられる。この場合にも，台形屋根面部31および三角支持面部32，33は左側板14の側方に位置し，側方に突出する台形屋根面部31の下側に摘み面部34，35および壁面部36が縦向きに延びることになる。三角支持面部32，33と摘み面部34，35の境界の折り線Ｌ３が必ずしも必要とされないことは，後述する他の実施例でも同様である。
【実施例５】
【００５５】
第１実施例（図１〜図３）と第３実施例（図７および図８）の関係と同様に，持ち手形成板30に形成された折り線Ｌ２，Ｌ３，Ｌ４ａ，Ｌ４ｂの折り方向を逆にすることもできる。図１２および図１３は，図９に示す展開図の持ち手形成板30において，折り線Ｌ２を谷折りし，折り線Ｌ３を山折りし，折り線Ｌ４ａ，Ｌ４ｂを谷折りすることによってつくられた持ち手を備える，第５実施例の紙容器５の左側面図および正面図をそれぞれ示している。紙容器５の左側板14から摘み面部34，55が大きく離れるので，第５実施例の紙容器５も，紙容器５からの熱が持ち手を持つ手（指）に伝わりにくい。
【実施例６】
【００５６】
図１４および図１５は第６実施例を示すもので，図１４は第６実施例の紙容器６の展開図（ブランク）を，図１５は持ち手が形成された紙容器６の斜視図を，それぞれ示している。第４実施例（図９，図１０）とは，持ち手形成板30Ａにおいて，摘み面部34，35の間に壁面部36が無く，摘み面部34，35の間が切り欠かれている点が異なる。折り線Ｌ４ａ，Ｌ４ｂも第６実施例の持ち手形成板30Ａには形成されない。
【００５７】
図１５を参照して，摘み面部34，35の間に壁面部36がないので，摘み面部34，35を手で摘まむと，摘み面部34，35は互いに近づく向きに湾曲して先端部分が重なる。重なり合った摘み面部分34，35が手で摘ままれる（掴まれる）ことで，紙容器６は持ち運ばれる。
【００５８】
図１６は，上述した図１４に示す持ち手形成板30に形成された折り線Ｌ２，Ｌ３の折り方向を逆にすることによってつくられた持ち手を備える紙容器７の左側面図を示している。摘み面部34，35が紙容器７の左側板14から大きく離れる持ち手を形成することができる。
【００５９】
上述した実施例では，方形の底板11を備え，方形の底板11の４辺のそれぞれに前後左右の側板12〜15が連設された概略直方体状の形状を備える紙容器を例示したが，底板の形状は方形に限られず，三角形，五角形，六角形その他の多角形であってもよい。底板が備える辺の数に合致する数の側板が設けられ，概略三角柱，五角柱，六角柱等の形状を備える紙容器がつくられる。
【符号の説明】
【００６０】
１，２，２Ａ，３，４，４Ａ，５，６，７  紙容器
11  底板
12  前側板
12ａ，13ａ，14ａ，15ａ  ウェッブコーナー部（折込み片）
13  後側板
14  左側板
15  右側板
16  蓋板
20，30，20Ａ，30Ａ  持ち手形成板
21  三角屋根面部
22，23，32，33  三角支持面部
24，25，34，35  摘み面部
26，26Ａ，27，27Ａ，37，38  差込み面部
31  台形屋根面部
36  壁面部
【図１】
2019177888.tif 000003
【図２】
2019177888.tif 000004
【図３】
2019177888.tif 000005
【図４】
2019177888.tif 000006
【図５】
2019177888.tif 000007
【図６】
2019177888.tif 000008
【図７】
2019177888.tif 000009
【図８】
2019177888.tif 000010
【図９】
2019177888.tif 000011
【図１０】
2019177888.tif 000012
【図１１】
2019177888.tif 000013
【図１２】
2019177888.tif 000014
【図１３】
2019177888.tif 000015
【図１４】
2019177888.tif 000016
【図１５】
2019177888.tif 000017
【図１６】
2019177888.tif 000018